(57)【特許請求の範囲】
【請求項１】
矩形に枠組される外枠の下部に横設される腰板の前面に該腰板の前面を覆う大きさを有する装飾板を設けてなり、前記腰板の前面に斜状の係止面を有する係合部を切欠形成し、前記装飾板の後面の前記係合部と対峙する位置に前記斜状の係止面とほぼ平行な係止片本体と該係止片本体の先端に形成された係止爪とからなる弾性係止片を設け、前記装飾板の上端部には腰板の後面に係止する係止部を有し且つ前面枠の下端を誘導する弾性挟持片を設け、
前記弾性係止片を前記係合部に押圧することにより装飾板を腰板に着脱自在に装着するようにしたことを特徴とするパチンコ機の外枠。
【発明の詳細な説明】
【０００１】
【発明の属する技術分野】
本発明は、パチンコ機の外枠に関するもので、特に外枠の前面下端に固定される腰板の改善に関するものである。
【０００２】
【従来の技術】
従来、パチンコ機の外枠は、腰板の表面に前面枠のデザインに合せて化粧板（例えばデコラ板等）を貼り付けている。
また、近時外枠全体を合成樹脂により成形している。
【０００３】
【発明が解決しようとする課題】
ところで、例えばパチンコ遊技店において、新台入替等の前面枠交換の際に、本来前面枠の交換だけで済むものを、前面枠のデザインと腰板のデザインが合わず見栄えが悪くなり、外枠全てを取り外し交換しなければならずコストが高くなっていた。また遊技客のいたずらで腰板にたばこの火を押し付けて焦がしたり傷つけられても、交換できず見栄えの悪いものとなっていた。
さらに外枠の取り付けには、微妙な傾斜調節など熟練した技術を必要とし、手間と時間が掛かっていた。
【０００４】
本発明は、上記した従来の問題点に鑑みてなされたもので、その目的とするところは、前面枠の交換に伴い、外枠全体を替えることなく腰板の部分を前面枠のデザインに合ったデザインに簡単に変えられ、しかも何度も使用できてコストを軽減できるパチンコ機の外枠を提供しようとするものである。
【０００５】
【課題を解決するための手段】
本発明は、かかる目的を達成するために、矩形に枠組される外枠の下部に横設される腰板の前面に該腰板の前面を覆う大きさを有する装飾板を設けてなり、前記腰板の前面に斜状の係止面を有する係合部を切欠形成し、前記装飾板の後面の前記係合部と対峙する位置に前記斜状の係止面とほぼ平行な係止片本体と該係止片本体の先端に形成された係止爪とからなる弾性係止片を設け、前記装飾板の上端部には腰板の後面に係止する係止部を有し且つ前面枠の下端を誘導する弾性挟持片を設け、前記弾性係止片を前記係合部に押圧することにより装飾板を腰板に着脱自在に装着するようにした。
【０００６】
また、前記ガイド部材は板状の弾性挟持片よりなり、先端に腰板の後面に係止する係止部を設けた。
【０００７】
これにより、前面枠の交換の際に、新しい前面枠に合ったデザインの装飾板と取り換えることでパチンコ機全体が統一のとれたデザインとなり見栄えもよくなる。
【０００８】
前記ガイド部材の係止部が腰板の後面に係止することにより、装飾板は後面側の係止部を外さなければならず遊技客によって無用に装飾板を外されることがない。
【０００９】
【発明の実施の形態】
以下、本発明に係るパチンコ機の実施の形態を図面と共に説明する。図１は本発明が適用されるパチンコ機の正面図、図２は外枠の斜視図、図３は外枠の要部を拡大して示す分解斜視図である。図中１はパチンコ機の外枠であり、２は該外枠１の一側に上下両端を枢着し開閉自在に装着される前面枠である。
【００１０】
前面枠２は窓開口３を有して額縁状に形成され、前面枠２の後側に窓開口３に臨んで遊技盤４が配置される。また窓開口３を囲む前面部には上下部にそれぞれ遊技盤４の前面を覆うガラス扉枠５および前板６がそれぞれ一側縁部を枢着して取付けられる。前板６の前面にはパチンコ球を打球発射部へ供給する打球供給皿７が装着されている。８は前面枠２の下部前面に装着され、打球供給皿７からの余剰球を貯留する余剰球受皿である。このように、ガラス扉枠５，前板６，打球供給皿７，余剰球受皿８が装着された前面枠２は、全体が統一されたデザインで構成されている。
【００１１】
しかして、前記外枠１は、図２に示すように上下枠板９，１０と左右枠板１１，１２とにより矩形に枠組され、その下部前面に補強用の腰板１３が横設される。該腰板１３はベニヤを積層圧着した合板からなり、図３に示すように前面の中央と両端部に後記する装飾板１４を取り付けるための斜状の係止面１５を有する係合部１６ａ，１６ｂを後方に広がる台形状に切欠形成している。なお腰板１３は合板に替えて合成樹脂製または金属製でもよい。
【００１２】
装飾板１４は、合成樹脂により形成され、図３および図４に示すように前記腰板１３の前面を覆う大きさで、かつ前面枠２のデザインに合せた飾り板部１７を有し、該飾り板部１７の左右両縁に後方に折り曲げて前面腰板１３の側面を囲む縁板１８を設けて断面略コ字形に形成している。また飾り板部１７の後面で、かつ前記係合部１６ａ，１６ｂと対峙する位置に弾性係止片１９ａ，１９ｂを形成している。該弾性係止片１９ａ，１９ｂは、前記係合部１６ａ，１６ｂの係止面１５とほぼ平行な係止片本体２０の先端に係止爪２１を屈曲形成している。そして、係止爪２１の後面は、係合部１６ａ，１６ｂに誘導する斜状のガイド面２２としている。また、弾性係止片１９ａは、１対の係止本体２０を有している。なお、装飾板１４は、合成樹脂に替えて金属製にしてもよい。
【００１３】
また、飾り板部１７の上端部には前面枠２を閉塞する際に前面枠２の下端を誘導するガイド部材２４を一体に延設している。該ガイド部材２４は、後方に腰板１３の後面に係止する係止部２３が設けられた板状の弾性挟持片からなる。
【００１４】
本発明は上記のように構成されるもので、装飾板１４を腰板１３に取り付けるには、図７実線に示すように弾性係止片１９ａ，１９ｂのガイド面２２を前記係合部１６ａ，１６ｂの開口端に当接させ、装飾板１４を押圧すると図７鎖線で示すようにガイド面２２により弾性係止片１９ａ，１９ｂが弾性に抗して撓んで係合部１６ａ，１６ｂの係止面１５に係合爪２１が係合する。そしてガイド部材２４の係止部２３が腰板１３の後面に係止して、図５および図６に示すように装飾板１４を腰板１３の前面に被覆固定することができる。
【００１５】
なお前記弾性係止片１９ａ，１９ｂは図９に示すように係止爪２１を半円状の係止爪２１ａとしてもよい。これにより装飾板１４の取り付け取り外しが一層円滑にできると共に、係止爪２１ａが折れることもない。また図１０に示すように弾性係止片１９ａに替えて複数の係合部１６ｃに複数の弾性係止片１９ｃにしてもよい。
【００１６】
次に、装飾板１４を取り外すには、取り付け時と逆に腰板１３の上面のガイド部材２４の係止部２３を弾性に抗して外し、飾り板部１７を手前に引くことで図８鎖線で示すように弾性係止片１９ａ，１９ｂの係止爪２１が係合部１６ａ，１６ｂの係止面１５を摺べりながら撓んで係合部１６ａ，１６ｂから外れ簡単に装飾板１４を取り外すことができる。
【００１７】
このようにして、装飾板１４は弾性係止片１９ａ，１９ｂの弾性を利用して係合部１６ａ，１６ｂを傷めることなく簡単に着脱できることから、例えば機種の入替によって前面枠２のデザインが変った場合でも、古い装飾板１４を取り外し、新しく入替られた前面枠２のデザインに合った装飾板１４を確実に取り付け固定することができ、パチンコ機全体のデザインの統一が可能となる。
【００１８】
【発明の効果】
以上述べたように、本発明は外枠の腰板前面に装飾板を治具を使うことなく着脱自在に取り付けるようにしたので、前面枠のデザイン変更に合せて装飾板を簡単に交換でき、パチンコ機全体の見栄えをよくすることができる。このため外枠を何度でもリサイクルして使用でき、新しい外枠の必要がなく、コストも軽減でき、外枠を取り付ける手間も掛からない。また、前面枠の下端を誘導するガイド部材を一体に延設することにより前面枠の開閉が楽になる。
【００１９】
また、ガイド部材に係止部を設けることで、遊技客によって無用に装飾板を外されることがない。
【図面の簡単な説明】
【図１】本発明が適用されるパチンコ機の正面図。
【図２】外枠の斜視図。
【図３】外枠の要部を拡大して示す分解斜視図。
【図４】装飾板の裏面斜視図。
【図５】腰板に装飾板を取り付けた状態の平断面図。
【図６】腰板部分の側断面図。
【図７】装飾板を取り付ける説明図。
【図８】装飾板を取り外す説明図。
【図９】他の実施の形態を示す断面図。
【図１０】他の実施の形態を示す断面図。
【符号の説明】
１                外枠
１３              腰板
１４              装飾板
１５              係止面
１６ａ，１６ｂ    係合部
１９ａ，１９ｂ    弾性係止片
２１              係止爪
２３              係止部
２４              ガイド部材
【図１】
0003749361.tif 000002
【図２】
0003749361.tif 000003
【図３】
0003749361.tif 000004
【図４】
0003749361.tif 000005
【図５】
0003749361.tif 000006
【図６】
0003749361.tif 000007
【図７】
0003749361.tif 000008
【図８】
0003749361.tif 000009
【図９】
0003749361.tif 000010
【図１０】
0003749361.tif 000011